(57)【要約】      （修正有）【課題】使用者の使用目的に応じて、単一の健康器具を複数の用途に使い分けることができる健康器具を提供する。【解決手段】天板と側壁を有する断面コ字状の器具本体２０と、器具本体内に交差設置された平面十字状の仕切り板３０と、器具本体の長手方向の仕切り板に穿設された複数の貫通孔４０と、貫通孔にそれぞれ挿通され、器具本体の短手方向の長さと同一の長さを有する複数の棒状の重り５０と、短手方向の側壁に、床面に接触しながら外側に張り出すように接続された下側踏み台６０と、天板上のうち、下側踏み台が接続された側壁側領域に載置された上側踏み台７０と、上側踏み台が載置されていない領域の中央部分に突出形成され、円柱状の凸部８０Ａと、凸部より大きい外径を有する把持部８０Ｂとからなる突出部８０と、突出部を切欠９０Ｃ内に収容するように天板上に載置された外板９０と、外板から外側に張り出すように形成されたコ字状の取っ手１００とを備える。【選択図】図１
0003198209.tif 000002
【実用新案登録請求の範囲】
【請求項１】
長方形状の天板と、前記天板の周縁から垂下するようにして前記天板に接続された側壁とによって形成された断面コ字状の器具本体と、
前記器具本体内に、前記器具本体の長手方向と、当該長手方向と直交する方向とに沿って交差するように設置された平面十字状の仕切り板と、
前記仕切り板のうち、前記器具本体の長手方向に設置された前記仕切り板に穿設された複数の貫通孔と、
前記複数の貫通孔にそれぞれ挿通され、前記器具本体の長手方向と直交する方向における長さと同一の長さを有する複数の棒状の重りと、
前記器具本体の長手方向と直交する方向に配置された２つの側壁のうち、一方の側壁の設置面側端部付近に、前記器具本体が配置される床面に接触しながら、外側に向けて張り出すように接続された下側踏み台と、
前記天板上のうち、前記下側踏み台が接続された前記側壁側領域に載置された上側踏み台と、
前記天板上のうち、前記下側踏み台が接続された側壁と対向する側壁側領域であって、前記上側踏み台が載置されていない領域の中央部分に突出するように形成された円柱状の凸部と、前記凸部上に一体的に形成され、前記凸部の外径より大きい外径を有する円柱状の把持部とからなる突出部と、
前記把持部より大きい大きさを有する切欠が形成され、前記突出部を前記切欠内に収容するようにして前記天板上に載置された外板と、
前記器具本体の長手方向であって、かつ前記外板から外側に向けて張り出すようにして、前記外板に一体的に形成されコ字状の取っ手と
を備えることを特徴とする健康器具。
【考案の詳細な説明】
【技術分野】
【０００１】
本考案は、健康器具に関する。
【背景技術】
【０００２】
従来、使用者の健康を増進するための健康器具として、種々のものが提案及び開発されている。
【考案の概要】
【考案が解決しようとする課題】
【０００３】
本考案は、使用者の使用目的に応じて、単一の健康器具を複数の用途に使い分けることができる健康器具を提供することを目的とする。
【課題を解決するための手段】
【０００４】
本考案の一態様による健康器具は、
長方形状の天板と、前記天板の周縁から垂下するようにして前記天板に接続された側壁とによって形成された断面コ字状の器具本体と、
前記器具本体内に、前記器具本体の長手方向と、当該長手方向と直交する方向とに沿って交差するように設置された平面十字状の仕切り板と、
前記仕切り板のうち、前記器具本体の長手方向に設置された前記仕切り板に穿設された複数の貫通孔と、
前記複数の貫通孔にそれぞれ挿通され、前記器具本体の長手方向と直交する方向における長さと同一の長さを有する複数の棒状の重りと、
前記器具本体の長手方向と直交する方向に配置された２つの側壁のうち、一方の側壁の設置面側端部付近に、前記器具本体が配置される床面に接触しながら、外側に向けて張り出すように接続された下側踏み台と、
前記天板上のうち、前記下側踏み台が接続された前記側壁側領域に載置された上側踏み台と、
前記天板上のうち、前記下側踏み台が接続された側壁と対向する側壁側領域であって、前記上側踏み台が載置されていない領域の中央部分に突出するように形成された円柱状の凸部と、前記凸部上に一体的に形成され、前記凸部の外径より大きい外径を有する円柱状の把持部とからなる突出部と、
前記把持部より大きい大きさを有する切欠が形成され、前記突出部を前記切欠内に収容するようにして前記天板上に載置された外板と、
前記器具本体の長手方向であって、かつ前記外板から外側に向けて張り出すようにして、前記外板に一体的に形成されコ字状の取っ手と
を備える。
【考案の効果】
【０００５】
本考案の健康器具によれば、使用者の使用目的に応じて、単一の健康器具を複数の用途に使い分けることができる。
【図面の簡単な説明】
【０００６】
【図１】本考案の実施の形態による健康器具の構成を示す斜視図である。
【図２】本考案の実施の形態による健康器具の構成を示す縦断面図である。
【考案を実施するための形態】
【０００７】
図１及び図２に、本考案の実施の形態による健康器具１０の構成を示す。このうち、図１（ａ）は、健康器具１０の平面側斜視図を示し、図１（ｂ）は、健康器具１０の底面側斜視図を示す。
【０００８】
図２（ａ）は、図１（ａ）中のＡ−Ａ’線に沿って切断した場合の縦断面図を示し、図２（ｂ）は、図１（ａ）中のＢ−Ｂ’線に沿って切断した場合の縦断面図を示す。なお、図２（ａ）及び図２（ｂ）のうち、後方に視認される外形線を点線で表示している。
【０００９】
本実施の形態の健康器具１０は、床などに設置する際の設置面側（すなわち底面側）の全面が開口するようにして、断面がコ字状に形成された直方体状の器具本体２０を有する。すなわち、器具本体２０は、長方形状の天板２０Ｔと、当該天板２０Ｔの周縁から下方に垂下するように接続された側壁２０Ｓとによって形成されている。なお、この器具本体２０は、例えば合成樹脂などから形成されている。
【００１０】
この器具本体２０の内部には、器具本体２０の長手方向と、当該長手方向と直交する方向とに沿って交差するようにして、平面十字状に形成された仕切り板３０（３０Ａ及び３０Ｂ）が、器具本体２０内の空洞を４分割するように設けられている。なお、この仕切り板３０は、例えば合成樹脂などから形成されている。
【００１１】
この仕切り板３０のうち、器具本体２０の長手方向に設置された仕切り板３０Ａには、複数の貫通孔４０が所定の間隔毎に一様に穿設されている。これら各貫通孔４０には、例えば金属からなる複数の棒状の重り５０がそれぞれ挿通されている。この重り５０は、貫通孔４０の内径と同一の外径を有し、かつ器具本体２０の長手方向と直交する方向における長さと同一の長さを有する。
【００１２】
なお、器具本体２０の長手方向に配置された２つの側壁２０Ｓ及び仕切り板３０Ａの設置面側端部には、踏み台昇降運動を行う際の滑り止めとして、図示しないゴム材が固着されている。
【００１３】
器具本体２０の長手方向と直交する方向に配置された２つの側壁２０Ｓのうち、一方の側壁２０Ｓの設置面側端部付近には、踏み台昇降運動を行う際の踏み台となる下側踏み台６０が、床面に接触しながら外側に向けて張り出すように取り付けられている。
【００１４】
また、器具本体２０の天板２０Ｔ上のうち、下側踏み台６０が接続された側壁２０Ｓ側領域には、踏み台昇降運動を行う際の踏み台となる上側踏み台７０が載置されている。なお、下側踏み台６０及び上側踏み台７０は、例えば軟質ポリ塩化ビニルなどのクッション材によって形成されている。
【００１５】
一方、器具本体２０の天板２０Ｔ上のうち、下側踏み台６０が接続された側壁２０Ｓと対向する側壁２０Ｓ側領域であって、上側踏み台７０が載置されていない領域の中央部分には、円柱状の凸部８０Ａが突出するように形成され、さらに、凸部８０Ａ上には、当該凸部８０Ａの外径より大きい外径を有する円柱状の把持部８０Ｂが一体的に形成されることにより、凸部８０Ａ及び把持部８０Ｂからなる突出部８０を形成している。なお、突出部８０は、例えば合成樹脂などから形成されている。
【００１６】
また、器具本体２０の天板２０Ｔ上には、把持部８０Ｂより大きい大きさを有する切欠９０Ｃが形成された外板９０が、突出部８０を切欠９０Ｃ内に収容するようにして載置されている。なお、外板９０は、例えば合成樹脂などから形成されている。
【００１７】
この外板９０には、コ字状の取っ手１００が、器具本体２０の長手方向であって、かつ外側に向けて張り出すように一体的に形成されている。この取っ手１００の握り部分は、使用者が握り易いように円柱状に形成されている。
【００１８】
なお、器具本体２０の天板２０Ｔ上のうち、外板９０の切欠９０Ｃによって露出している領域のうち、取っ手１００が設置された側の端部付近は、図示しない例えば軟質ポリ塩化ビニルなどのクッション材によって覆われている。これにより、使用者が取っ手１００を握った際に、使用者の手の甲を保護することができる。
【００１９】
本実施の形態の場合、健康器具１０を２台並列に配置することにより、踏み台昇降運動を行うことができ、また、健康器具１０を離して配置した上で、上側踏み台７０に肩を乗せ、取っ手１００を握ることにより、例えば倒立などの体幹トレーニングを行うことができ、さらに、突出部８０や取っ手１００を握ることにより、種々のダンベル運動を行うことができる。
【００２０】
このように本実施の形態によれば、使用者の使用目的に応じて、単一の健康器具１０を複数の用途に使い分けることができる。
【００２１】
なお、上述の実施の形態は一例であって、本発明を限定するものではない。
【符号の説明】
【００２２】
１０  健康器具
２０  器具本体
３０  仕切り板
４０  貫通孔
５０  重り
６０  下側踏み台
７０  上側踏み台
８０  突出部
９０  外板
１００  取っ手
【図１】
0003198209.tif 000003
【図２】
0003198209.tif 000004